(57)【要約】【課題】本発明は、運搬等の取り扱いに際して収納した電子部品が区画側壁を乗り越えるおそれが少なく、リード端子が収納凹部の側壁或いはカバーテープを突き破る恐れの少ないキャリアテープの提供を目的とする。【解決手段】収納凹部２内には、夫々、当該収納凹部２内に電子部品本体１１１を収納する本体収納部２ａを区画形成した区画側壁２６が設けられている。区画側壁２６は、その突出先端側に、乗り越え邪魔立て部２８を備えている。又、乗り越え邪魔立て部２８は、本体収納部２ａの載置用底壁２５ａからの高さが電子部品本体１１１の底面から、リード端子１１２、１１３における突出基端部１１２ａ、１１３ａの下面までの高さよりも高くなるように構成された邪魔立て突片２９を備えている。【選択図】図２
2012184019.tif 000002
【特許請求の範囲】
【請求項１】
電子部品本体の一側面から外周側に突設されたリード端子を有する電子部品を収納する複数の収納凹部を備えたキャリアテープであって、
前記収納凹部内には、夫々、当該収納凹部の底壁から上方に突出され当該収納凹部内に前記電子部品本体を収納する本体収納部を区画形成した区画側壁が設けられ、
前記本体収納部は、前記電子部品本体の底面を載置する載置用底壁を備え、
前記区画側壁は、その突出先端側に、前記本体収納部に収納した電子部品本体の前記一側面が当該区画側壁を乗り越えないように邪魔立てする乗り越え邪魔立て部を備え、
前記乗り越え邪魔立て部は、前記載置用底壁からの高さが前記電子部品本体の底面から、前記リード端子における突出基端部の下面までの高さよりも高くなるように構成された邪魔立て突片を備えていることを特徴とするキャリアテープ。
【請求項２】
前記電子部品は、互いに距離を持って並列された第１〜第３の３つのリード端子を備え、
前記邪魔立て突片は、第１リード端子と第２リード端子との間、及び第２リード端子と第３リード端子との間夫々に入り込むように構成されていることを特徴とする請求項１記載のキャリアテープ。
【請求項３】
前記収納凹部は、互いに対向する第１側壁及び第２側壁とを備え、
前記区画側壁は、前記第１側壁と対向する第１側壁対向面を備え、
前記本体収納部は、前記第１側壁と第１側壁対向面との間に形成され、
前記乗り越え邪魔立て部は、前記邪魔立て突片を前記第２側壁に支持した支持片を、更に備えていることを特徴とする請求項１または２記載のキャリアテープ。
【発明の詳細な説明】
【技術分野】
【０００１】
本発明は、半導体装置のチップ・サイズ・パッケージ（ＣＳＰ）等の電子部品等の物品を収納するのに最適なキャリアテープに関するものである。
【背景技術】
【０００２】
従来から、例えば半導体装置のチップ・サイズ・パッケージ等の電子部品を収納する複数の収納凹部を形成したキャリアテープが広く知られている。又、このようなキャリアテープとして、例えば図１３に示すように電子部品本体１１１から外周側に突設されたリード端子１１２を有する電子部品１１０を収納するようにしたキャリアテープも提案されている。詳しくは、収納凹部１００内に、その収納凹部１００の底壁１０１ａから上方に突出するように形成した区画側壁１０２を設け、その区画側壁１０２によって、収納凹部１００内に、電子部品本体１１１を収納する本体収納部１０３を区画形成し、その収納本体部１０３の底壁を載置用底壁１０１ａとし、その載置用底壁１０１ａに、電子部品本体１１０の底面を載置して本体収納部１０３に収納するようにしたものである。又、区画側壁１０２は、載置用底壁１０１ａからの高さｈ３が電子部品本体１１１の底面から、リードにおける突出基端部の下面までの高さｈ２よりも低くし、電子部品本体１１０を本体収納部１０３に収納した状態で、電子部品１１０のリード端子１１２の下面が区画側壁１０２に接触しないようにしている（特許文献１参照）。
【先行技術文献】
【特許文献】
【０００３】
【特許文献１】実用新案登録第３１４８９８４号公報
【発明の概要】
【発明が解決しようとする課題】
【０００４】
しかしながら、このようなキャリアテープは、電子部品１１０を収納凹部１００に収納後、開口部をカバーテープ１０５で塞がれ渦巻状に巻き取られて運搬等されるが、その運搬等の際に、図１３に示すように、例えば電子部品１１０のリード端子１１２が下側になって振動等によって電子部品本体１１１のリード端子１１２を有する一側面が区画側壁１０２を滑り動いて区画側壁１０２を乗り越え、リード端子１１２がキャリアテープの側壁１０１ｂ或いは、カバーテープ１０５を突き破ってしまう場合がある。
【０００５】
本発明は、運搬等の取り扱いに際して収納した電子部品が区画側壁を乗り越えるおそれが少なく、リード端子が収納凹部の側壁或いはカバーテープを突き破る恐れの少ないキャリアテープの提供を目的とする。
【課題を解決するための手段】
【０００６】
上記課題を解決するため、請求項１の発明は、電子部品本体の一側面から外周側に突設されたリード端子を有する電子部品を収納する複数の収納凹部を備えたキャリアテープであって、前記収納凹部内には、夫々、当該収納凹部の底壁から上方に突出され当該収納凹部内に前記電子部品本体を収納する本体収納部を区画形成した区画側壁が設けられ、前記本体収納部は、前記電子部品本体の底面を載置する載置用底壁を備え、前記区画側壁は、その突出先端側に、前記本体収納部に収納した電子部品本体の前記一側面が当該区画側壁を乗り越えないように邪魔立てする乗り越え邪魔立て部を備え、前記乗り越え邪魔立て部は、前記載置用底壁からの高さが前記電子部品本体の底面から、前記リード端子における突出基端部の下面までの高さよりも高くなるように構成された邪魔立て突片を備えていることを特徴とするキャリアテープを提供する。
【０００７】
請求項２の発明は、請求項１記載のキャリアテープにおいて、前記電子部品は、互いに距離を持って並列された第１〜第３の３つのリード端子を備え、前記邪魔立て突片は、第１リード端子と第２リード端子との間、及び第２リード端子と第３リード端子との間夫々に入り込むように構成されていることを特徴とするものである。
【０００８】
請求項３の発明は、請求項１又は２記載のキャリアテープにおいて、前記収納凹部は、互いに対向する第１側壁及び第２側壁とを備え、前記区画側壁は、前記第１側壁と対向する第１側壁対向面を備え、前記本体収納部は、前記第１側壁と第１側壁対向面との間に形成され、前記乗り越え邪魔立て部は、前記邪魔立て突片を前記第２側壁に支持した支持片を、更に備えていることを特徴とするものである。
【発明の効果】
【０００９】
本発明の請求項１によれば、区画側壁は、その突出先端部に、本体収納部に収納した電子部品本体のリード端子を有する一側面が区画側壁を乗り越えないように邪魔立てする乗り越え邪魔立て部を備える。また、乗り越え邪魔立て部は、載置用底壁からの高さが、電子部品本体の底面から、リード端子における突出基端部の下面の高さよりも高くなるように構成されている。
【００１０】
これにより、電子部品本体のリード端子を有する一側面が区画側壁を振動等によって滑り動いた場合でも、その電子部品本体の一側面が区画側壁を乗り越え難いものにでき、リード端子が収納凹部の側壁或いはカバーテープを突き破る恐れの少ないものにできる。
【００１１】
請求項２によれば、邪魔立て突片は、第１リード端子と第２リード端子との間、及び第２リード端子と第３リード端子との間、夫々に入り込むように構成されている。
【００１２】
これにより、第１〜第３の３つのリード端子を有する電子部品に対しても区画側壁を乗り越え難いものにでき、第１〜第３の３つのリード端子を有する電子部品を収納するものとして適したものにできる。
【００１３】
請求項３によれば、乗り越え邪魔立て部は、邪魔立て突片を収納凹部の第２側壁に支持した支持片を、更に備えている。
【００１４】
例えば電子部品本体の一側面が区画側壁を乗り越えようとして邪魔立て突片が電子部品本体によって収納凹部の第２側壁側に押圧されて第２側壁側に撓むと、電子部品本体の一側面が区画側壁を乗り越えやすくなってしまう。
【００１５】
しかし、この請求項３のように、邪魔立て突片を支持片によって収納凹部の第２側壁に支持したものにすれば、邪魔立て突片が電子部品本体によって収納凹部の第２側壁側に押圧されても、邪魔立て突片が第２側壁側に撓み難いものにできる。これにより、より一層、確実に、電子部品本体の一側面が区画側壁を乗り越え難いものにできる。
【図面の簡単な説明】
【００１６】
【図１】本発明のキャリアテープの一実施形態の一部の平面図である。
【図２】収納凹部の拡大平面図である。
【図３】図２のＩＩＩ−ＩＩＩ線断面図である。
【図４】図２のＩＶ−ＩＶ線断面図である。
【図５】図２のＶ−Ｖ線断面図である。
【図６】図２のＶＩ−ＶＩ線断面図である。
【図７】図２のＶＩＩ−ＶＩＩ線断面図である。
【図８】収納凹部に電子部品を収納した状態の拡大平面図である。
【図９】図８のＩＸ−ＩＸ線断面図である。
【図１０】図８のＸ−Ｘ線断面図である。
【図１１】図８のＸＩ−ＸＩ線断面図である。
【図１２】図８のＸＩＩ−ＸＩＩ線断面図である。
【図１３】従来例の説明図である。
【発明を実施するための形態】
【００１７】
以下、本発明を実施するための最良の形態について、図面を参照しながら詳細に説明する。図１は、本発明の一実施形態のキャリアテープの一部の平面図、図２は、収納凹部の拡大平面図、図３は、図２のＩＩＩ−ＩＩＩ線断面図、図４は、図２のＩＶ−ＩＶ線断面図である。また、図５は、図２のＶ−Ｖ線断面図、図６は、図２のＶＩ−ＶＩ線断面図、図７は、図２のＶＩＩ−ＶＩＩ線断面図である。
【００１８】
この実施形態のキャリアテープ１は、図８〜図１２に示す後述のリード端子１１２を有する電子部品１１０を収納するものとされている。
【００１９】
又、この実施形態のキャリアテープ１は、ポリカーボネート、ポリエステル、ポリエチレン等の合成樹脂から、図１に示すように長尺状に形成されている。又、この実施形態では、長手方向に直交する前後方向（幅方向）の長さは、１６ｍｍ程度とされている。
【００２０】
このキャリアテープ１には、幅方向のほぼ中央部に、電子部品１１０を収納するための複数の収納凹部２が備えられている。又、幅方向の一端側には、複数の送り穴４が備えられている。
【００２１】
これらの送り穴４は、収納凹部２に電子部品１１０を収納する際に、或いは、収納凹部２に収納した電子部品１１０を収納凹部２から取り出す際に、収納凹部２を機械的に順次長手方向に間欠的に送るためのもので、長手方向に沿って、一列にほぼ等間隔（この実施形態で４ｍｍのピッチ）で形成されている。
【００２２】
収納凹部２は、長手方向に沿って等間隔で配設されている。収納凹部２は、図２に示すように左右の両側壁２１、２２と、後側壁２３（第１側壁）と、前側壁２４（第２側壁）と、底壁２５とを備えている。又、収納凹部２の上面側には、図３〜図７に示すように四角形状の開口部２０が備えられており、この開口部２０から内部に上記電子部品１１０を出し入れできるようになっている。
【００２３】
又、収納凹部２は、図１〜図７に示すように、その内部に、底壁２５から上方に突出された区画側壁２６を備えている。この実施形態の区画側壁２６は、区画壁本体２７と、乗り越え邪魔立て部２８とを備えている。
【００２４】
区画壁本体２７は、収納凹部２内における前方位置に、左側壁２１から右側壁２２にかけて後側壁２３と平行に配設されており、図５〜図７に示すように後側壁２３と対向した第１側壁対向面としての後側壁対向面２７ａを備えている。
【００２５】
そして、この区画壁本体２７によって、収納凹部２内が、その後側壁２３と後側壁対向面２７ａとの間に、本体収納部２ａが区画形成されているとともに、収納凹部２内におけるその本体収納部２ａの前方側に、端子収納部２ｂが区画形成されている。
【００２６】
本体収納部２ａは、図８〜図１２に示す電子部品１１０の電子部品本体１１１を収納するためのもので、その底壁が電子部品本体１１１の底面を載置する載置用底壁２５ａとされている。
【００２７】
又、この載置用底壁２５ａには、図１、図２に示すように円形状の吸引用穴２５ｂが設けられており、電子部品本体１１１を本体収納部２ａに収納する際に、この吸引用穴２５ｂから電子部品本体１１１を本体収納部２ａ内に吸引できるようになっている。尚、この吸引用穴２５ｂは、必要に応じて設ければ良く、適宜変更できる。又、図６、図１１では、この吸引用穴２５ｂを省略している。
【００２８】
ここで、収納凹部２に収納される一実施形態の電子部品１１０について説明する。この電子部品１１０は、図８〜図１２に示すように直方体状の電子部品本体１１１と、その電子部品本体１１１の前側面（一側面）から突出された第１〜第３の３つのリード端子１１２、１１３を備えている。
【００２９】
第１リード端子１１２は、電子部品本体１１１の前面における左側に配設され、第３リード端子１１２は、電子部品本体１１１の前面における右側に、第１リード端子１１２と所定の距離を隔てて左右対称に配設されている。
【００３０】
また、第１リード端子１１２と第３リード端子１１２とは、同一形状のものから構成されており、夫々は、電子部品本体１１１の前面から前方側に所定長さで突出した突出基端部１１２ａと、突出基端部１１２ａから下方側に延びた傾斜部１１２ｂと、傾斜部１１２ｂから前方側に延びた先端部１１２ｃとを備えている。
【００３１】
第２リード端子１１３は、第１リード端子１１２と第３リード端子１１２との間に、夫々と所定の距離をもって配設されている。この第２リード端子１１３は、第１リード端子１１２よりも突出長さが短く、第１リード端子１１２の突出基端部１１２ａに相当する突出基端部１１３ａのみを有する形状とされている。
【００３２】
また、各リード端子１１２、１１３の突出基端部１１２ａ、１１３ａは、図１０に示すように電子部品本体１１１の底面からその下端面までの高さｈ２が、区画壁本体２７の載置用底壁２５ａから上端までの高さｈ３よりも大きく設定されている。
【００３３】
そして、電子部品本体１１１は、本体収納部２ａの載置用底壁２５ａに載置されるようにして収納される。また、電子部品本体１１１の本体収納部２ａへの収納に際して、リード端子１１２が端子収納部２ｂに、その端子収納部２ｂの底壁、前側壁２３及び区画側壁２６に非接触の状態で収納される。
【００３４】
尚、この実施形態では、本体収納部２ａに、その載置用底壁２５ａの全周部と、その載置用底壁２５ａの全周部に配設された左右の両側壁２１、２２、後側壁２３及び区画側壁２６の前側壁対向面２６ａとの境界部に、図２、図５〜図７に示すように凹溝３１が設けられている。この凹溝３１によって、電子部品本体１１１が載置用底壁２５ａを摺動した場合でも、電子部品本体１１１の底壁と側壁との角部が上記境界部の一部を削るおそれの少ないものにできる。これにより、キャリアテープの一部を削りとることにより形成される粉状の削り屑の発生を防止でき、粉状の削り屑が電子部品１１０に付着して電子部品１１０に支障をきたすおそれの少ないものにできる。
【００３５】
次に、区画側壁２６の乗り越え邪魔立て部２８について説明する。この乗り越え邪魔立て部２８は、本体収納部２ａに収納した電子部品本体１１１のリード端子１１２、１１３を有する前側面（一側面）が区画側壁２６を乗り越えないように邪魔立てをするものである。
【００３６】
この実施形態における乗り越え邪魔立て部２８は、互いに所定の距離をもって左右対称に配設された同一形状の２つの邪魔立て突片２９と、邪魔立て突片２９を支持した支持片３０とを備えている。
【００３７】
邪魔立て突片２９は、図４に示すように区画壁本体２７の上側の突出先端側に、互いに距離を隔てて、区画壁本体２７から上方に所定量だけ突出するようにして配設されている。２つの邪魔立て突片２９の内距離（間隔）Ｌ１は、図９に示すように第２リード端子１１３の幅Ｌ２よりも大きく、２つの邪魔立て突片２９の互いの外面同士の外距離Ｌ３は、第１リード端子１１２と第３リード端子１１２との互いの内距離Ｌ４よりも小さく設定されている。
【００３８】
支持片３０は、図２、図６に示すように、２つの邪魔立て突片２９の上端と収納凹部２の前側壁２４とに渡されて両者を連結しており、２つの邪魔立て突片２９夫々を、前側壁２４側から支持している。
【００３９】
この実施形態の支持片３０は、支持片本体３０ａと、支持片本体３０ａの先端側に形成された２つの連結片３０ｂとを備えている。支持片本体３０ａの基端部は、収納凹部２の前側壁２４に連結され、連結片３０ｂの先端側は、邪魔立て突片２９の上端夫々と連結されている。
【００４０】
各連結片３０ｂの幅は、邪魔立て突片２９の幅と同じに設定されており、連結片３０ｂ同士の間に、第２リード端子１１３を収納する部分を形成している。そして、これらの邪魔立て突片２９は、図９に示すように収納凹部２に電子部品１１０が収納されるに際して、第１リード端子１１２と第２リード端子１１３との間、及び第２リード端子１１３と第３リード端子１１２との間、夫々にそれらと非接触の状態で入り込むようになっている。
【００４１】
又、この実施形態では、その入り込んだ状態で、邪魔立て突片２９の上端と、それらの第１〜第３リード端子１１２、１１３の突出基端部１１２ａ、１１３ａの上面と略面一になっている。
【００４２】
そして、収納凹部２に電子部品１１０が収納されたキャリアテープ１は、図示しないが、その後、順次、帯状のカバーテープ（図１３参照）が上面に貼り付けられて収納凹部２の開口部２０が閉じられるとともに、全体が渦巻状に巻回され、その状態で運搬等される。
【００４３】
その運搬等に際し、振動等によって、電子部品本体１１１のリード端子１１２、１１３を有する一側面１１１ａが区画側壁２６の後側壁対向面２６ａを滑り動いた場合でも、その電子部品本体１１１の一側面１１１ａが邪魔立て突片２９によって区画側壁２６を乗り越え難いものにでき、リード端子１１２、１１３が収納凹部２の前側壁２４或いはカバーテープを突き破る恐れの少ないものにできる。
【００４４】
又、乗り越え邪魔立て部２８の邪魔立て突片２９が、第１リード端子１１２と第２リード端子１１３との間、及び第２リード端子１１３と第３リード端子１１２との間、夫々に入り込むため、第１〜第３の３つのリード端子１１２、１１３を有する電子部品１１０に対して区画側壁２６を乗り越え難いものにでき、第１〜第３の３つのリード端子１１２、１１３を有する電子部品１１０を収納するものとして適したものにできる。
【００４５】
更には、電子部品本体１１１の一側面が区画側壁２６を乗り越えようとして乗り越え邪魔立て部２８の邪魔立て突片２９が電子部品本体１１１によって収納凹部２の第２側壁２４側に押圧され、乗り越え邪魔立て部が第２側壁側に撓むと、乗り越え邪魔立て部が第２側壁側に移動してしまい、その結果、電子部品本体の一側面が区画側壁を乗り越えやすくなってしまう。
【００４６】
しかし、この実施形態のように、乗り越え邪魔立て部が収納凹部の第２側壁に支持された支持片を備えたものにすれば、乗り越え邪魔立て部が電子部品本体によって収納凹部の第２側壁側に押圧されても、乗り越え邪魔立て部が第２側壁側に撓み難いものにできる。
【００４７】
これにより、より一層、確実に、電子部品本体の一側面が区画側壁を乗り越え難いものにできる。
【００４８】
尚、上記実施形態では、邪魔立て突片２９を２つから構成し、第１〜第３の３つのリード端子１１２、１１３を有する電子部品１１０を収納するようにしているが、この形態のものに限らず、適宜変更できる。
【００４９】
例えば邪魔立て突片２９を１つから構成し、２つのリード端子を有する電子部品を収納するものとし、電子部品を収納するに際して邪魔立て突片２９を２つのリード端子間に入り込むようにしてもよい。
【００５０】
又、載置用底壁２５ａから邪魔立て突片２９の上端までの高さｈ１は、電子部品本体１１１の底面からリード端子１１２、１１３の突出基端部１１２ａ、１１３ａの下面までの高さｈ２よりも高く、載置用底壁２５ａからキャリアテープ１の上面までの高さよりも低い範囲内であれば良く、適宜変更できる。
【符号の説明】
【００５１】
１    キャリアテープ
２    収納凹部
２ａ    本体収納部
２ｂ    端子収納部
２６    区画側壁
２７    区画壁本体
２８    乗り越え邪魔立て部
２９    邪魔立て突片
３０    支持片
１１０    電子部品
１１１    電子部品本体
１１２，１１３    リード端子
【図１】
2012184019.tif 000003
【図２】
2012184019.tif 000004
【図３】
2012184019.tif 000005
【図４】
2012184019.tif 000006
【図５】
2012184019.tif 000007
【図６】
2012184019.tif 000008
【図７】
2012184019.tif 000009
【図８】
2012184019.tif 000010
【図９】
2012184019.tif 000011
【図１０】
2012184019.tif 000012
【図１１】
2012184019.tif 000013
【図１２】
2012184019.tif 000014
【図１３】
2012184019.tif 000015